(57)【要約】【課題】操作性のよい物品管理システムおよび物品管理方法を提供する。【解決手段】ハンディ端末３は、物品用タグ１ａから識別ＩＤを読み取ると、その識別ＩＤをサーバ４に送信し、また、棚タグ２ｃから処理ＩＤを読み取ると、その処理ＩＤをサーバ４に送信する。サーバ４の制御部４ｆは、ハンディ端末３から識別ＩＤを受け付け、その後、ハンディ端末３から処理ＩＤを受け付けると、識別ＩＤに対して、処理ＩＤにて指定された物品管理用の処理を実行する。【選択図】図１
2007223797.tif 000002
【特許請求の範囲】
【請求項１】
タグを用いて物品を管理する物品管理システムであって、
前記物品に添付され、該物品を識別するための識別ＩＤが記録された物品用タグと、
前記識別ＩＤに対する物品管理用の処理を指定するための処理ＩＤが記録された処理用タグと、
前記物品用タグから前記識別ＩＤを読み取り、その読み取った識別ＩＤを出力し、また、前記処理用タグから前記処理ＩＤを読み取り、その読み取った処理ＩＤを出力する読取部と、
前記読取部から前記識別ＩＤを受け付け、その後、該読取部から前記処理ＩＤを受け付けると、該識別ＩＤが示す物品に対して、該処理ＩＤにて指定された物品管理用の処理を実行する制御部と、を含む物品管理システム。
【請求項２】
請求項１に記載の物品管理システムにおいて、
前記処理ＩＤを、該処理ＩＤにて指定された物品管理用の処理の内容と関連づけて記憶している記憶部をさらに含み、
前記制御部は、前記読取部から前記識別ＩＤを受け付け、その後、該読取部から前記処理ＩＤを受け付けると、該処理ＩＤに関連づけられた処理の内容を前記記憶部から読み出し、該識別ＩＤに対して、その読み出された処理の内容を実行する、物品管理システム。
【請求項３】
請求項１に記載の物品管理システムにおいて、
前記制御部は、
前記識別ＩＤを受け付けてから前記処理ＩＤを受け付けるまでの情報受付時間を計測する時間計測部と、
前記時間計測部にて計測された情報受付時間が所定時間以内である場合のみ、該識別ＩＤに対して、該処理ＩＤにて指定された物品管理用の処理を実行する処理部と、を含む、物品管理システム。
【請求項４】
請求項３に記載の物品管理システムにおいて、
前記物品用タグは、複数種類あり、各物品用タグには、互いに異なる前記識別ＩＤが記録され、
前記時間計測部は、前記識別ＩＤを受け付けてから他の前記識別ＩＤを受け付けるまでの識別ＩＤ受付時間をさらに計測し、
前記処理部は、前記識別ＩＤを受け付け、その後、前記他の識別ＩＤを受け付け、その後、前記処理ＩＤを受け付けた場合、前記識別ＩＤ受付時間が特定時間以内であり、かつ、前記情報受付時間が前記所定時間以内であるときのみ、該識別ＩＤと該他の識別ＩＤとに対して、該処理ＩＤにて指定された物品管理用の処理を実行する、物品管理システム。
【請求項５】
物品に添付され該物品を識別するための識別ＩＤが記録された物品用タグから該識別ＩＤを読み取り、その読み取った識別ＩＤを出力し、また、該識別ＩＤに対する物品管理用の処理を指定するための処理ＩＤが記録された処理用タグから該処理ＩＤを読み取り、その読み取った処理ＩＤを出力する読取部と通信可能なコンピュータに、
前記読取部から前記識別ＩＤを受け付け、その後、該読取部から前記処理ＩＤを受け付けると、該識別ＩＤに対して、該処理ＩＤにて指定された物品管理用の処理を実行する物品管理処理を実行させるプログラム。
【発明の詳細な説明】
【技術分野】
【０００１】
本発明は、物品管理システムおよびプログラムに関し、特には、ＩＣタグ等の識別用タグを用いて物品を管理する物品管理システムおよびプログラムに関する。
【背景技術】
【０００２】
近年、ＩＣタグを用いた種々のシステムが提案されている（特許文献１（特開２００６−１１８５５号公報）参照）。
【０００３】
例えば、ＩＣタグを用いて在庫管理および物流管理を行う物品管理システムが知られている。
【０００４】
この物品管理システムでは、物品に、識別ＩＤを有するＩＣタグが添付され、ユーザは、ＩＣタグから識別ＩＤを読取り機で読み取る。読取り機は、その読み取った識別ＩＤを操作端末に出力する。その後、ユーザは、操作端末の操作キーを操作して、出庫処理等の処理指示を操作端末に入力する。操作端末は、ユーザから処理指示を受け付けると、読取り機から受け付けた識別ＩＤに対して、その指示にしたがった処理を実行する。
【０００５】
例えば、この物品管理システムが、図書館で図書を管理するために使用された場合、作業員は、図書に添付されたＩＣタグから識別ＩＤを読取り機によって読み取り、その後、操作端末の操作キーを操作して図書の処理に関する指示（例えば、貸し出し処理指示または返却処理指示）を操作端末に入力する。
【０００６】
従来、ＩＣタグを用いた物品管理システムにおいては、上記のような基本的な操作の流れ（具体的には、ユーザが、読取り機を操作してＩＣタグから識別ＩＤを読み取り、その後、ユーザが、操作端末の操作キーを操作して処理指示を入力する、という流れ）が存在する。
【特許文献１】特開２００６−１１８５５号公報
【発明の開示】
【発明が解決しようとする課題】
【０００７】
物品管理システムは、ＩＣタグを用いて物品の識別を非常に簡単に行える。しかしながら、最終的に、ユーザが操作端末に対して逐一指示を与えなければならないのは煩雑である。
【０００８】
また、ユーザは、識別ＩＤの読取りと処理指示の入力とを行うために、読取り機と操作端末の操作キーという異なる２つの操作部を操作しなければならず、操作性の改善が望まれていた。
【０００９】
本発明の目的は、操作性のよい物品管理システムおよび物品管理方法を提供することである。
【課題を解決するための手段】
【００１０】
上記目的を達成するために、本発明の物品管理システムは、タグを用いて物品を管理する物品管理システムであって、前記物品に添付され、該物品を識別するための識別ＩＤが記録された物品用タグと、前記識別ＩＤに対する物品管理用の処理を指定するための処理ＩＤが記録された処理用タグと、前記物品用タグから前記識別ＩＤを読み取り、その読み取った識別ＩＤを出力し、また、前記処理用タグから前記処理ＩＤを読み取り、その読み取った処理ＩＤを出力する読取部と、前記読取部から前記識別ＩＤを受け付け、その後、該読取部から前記処理ＩＤを受け付けると、該識別ＩＤに対して、該処理ＩＤにて指定された物品管理用の処理を実行する制御部と、を含む。
【００１１】
上記発明によれば、制御部は、読取部から識別ＩＤを受け付け、その後、読取部から処理ＩＤを受け付けると、識別ＩＤに対して、処理ＩＤにて指定された物品管理用の処理が実行される。識別ＩＤと処理ＩＤとは、読取部にて、物品用タグと処理用タグとから読み取られ出力される。
【００１２】
このため、ユーザが、読取部で、識別ＩＤと処理ＩＤを順番に読み取るだけで、識別ＩＤに対して、処理ＩＤにて指定された物品管理用の処理が実行される。
【００１３】
よって、ユーザは、従来のように読取り機と操作端末の操作キーという異なる２つの操作部を操作することによって識別ＩＤの読取りと処理指示の入力とを行う必要がなくなり、物品管理システムの操作性の向上が図れる。
【００１４】
なお、前記処理ＩＤを、該処理ＩＤにて指定された物品管理用の処理の内容と関連づけて記憶している記憶部をさらに含み、前記制御部は、前記読取部から前記識別ＩＤを受け付け、その後、該読取部から前記処理ＩＤを受け付けると、該処理ＩＤに関連づけられた処理の内容を前記記憶部から読み出し、該識別ＩＤに対して、その読み出された処理の内容を実行することが望ましい。
【００１５】
上記発明によれば、記憶部で物品管理用の処理内容を管理することが可能になる。
【００１６】
また、前記制御部は、前記識別ＩＤを受け付けてから前記処理ＩＤを受け付けるまでの情報受付時間を計測する時間計測部と、前記時間計測部にて計測された情報受付時間が所定時間以内である場合のみ、該識別ＩＤに対して、該処理ＩＤにて指定された物品管理用の処理を実行する処理部と、を含むことが望ましい。
【００１７】
識別ＩＤを受け付けてから処理ＩＤを受け付けるまでの時間が長くなるほど、それら識別ＩＤおよび処理ＩＤが誤って読み取られた可能性が高くなる傾向がある。
【００１８】
上記発明によれば、識別ＩＤを受け付けてから処理ＩＤを受け付けるまでの情報受付時間が、所定時間以内である場合のみ、識別ＩＤに対して、処理ＩＤにて指定された物品管理用の処理が実行される。このため、読取りミスの可能性がある情報に基づいて処理を行うことを防止でき、物品管理の精度の悪化を抑えることが可能になる。
【００１９】
また、前記物品用タグは、複数種類あり、各物品用タグには、互いに異なる前記識別ＩＤが記録され、前記時間計測部は、前記識別ＩＤを受け付けてから他の前記識別ＩＤを受け付けるまでの識別ＩＤ受付時間をさらに計測し、前記処理部は、前記識別ＩＤを受け付け、その後、前記他の識別ＩＤを受け付け、その後、前記処理ＩＤを受け付けた場合、前記識別ＩＤ受付時間が特定時間以内であり、かつ、前記情報受付時間が前記所定時間以内であるときのみ、該識別ＩＤと該他の識別ＩＤとに対して、該処理ＩＤにて指定された物品管理用の処理を実行することが望ましい。
【００２０】
上記発明によれば、ユーザが、読取部で、識別ＩＤと、他の識別ＩＤと、処理ＩＤとを、順番に、ある時間内に読み取るという簡単な操作を行うだけで、複数の識別ＩＤに対して、共通の処理が実行される。このため、物品管理システムの操作性の向上が図れる。
【００２１】
また、本発明のプログラムは、物品に添付され該物品を識別するための識別ＩＤが記録された物品用タグから該識別ＩＤを読み取り、その読み取った識別ＩＤを出力し、また、該識別ＩＤに対する物品管理用の処理を指定するための処理ＩＤが記録された処理用タグから該処理ＩＤを読み取り、その読み取った処理ＩＤを出力する読取部と通信可能なコンピュータに、前記読取部から前記識別ＩＤを受け付け、その後、該読取部から前記処理ＩＤを受け付けると、該識別ＩＤに対して、該処理ＩＤにて指定された物品管理用の処理を実行する物品管理処理を実行させる。
【００２２】
上記発明によれば、物品管理処理をコンピュータに実行させることが可能になる。
【発明の効果】
【００２３】
本発明によれば、制御部は、読取部から識別ＩＤを受け付け、その後、読取部から処理ＩＤを受け付けると、識別ＩＤに対して、処理ＩＤにて指定された物品管理用の処理を実行する。識別ＩＤと処理ＩＤとは、読取部にて、物品用タグと処理用タグとから読み取られ出力される。
【００２４】
このため、ユーザが、読取部で、識別ＩＤと処理ＩＤを順番に読み取るだけで、識別ＩＤに対して、処理ＩＤにて指定された物品管理用の処理が実行される。よって、物品管理システムの操作性の向上が図れる。
【発明を実施するための最良の形態】
【００２５】
以下、本発明の実施形態を、図面を参照して説明する。
【００２６】
図１は、本発明の一実施形態の物品管理システムを示したブロック図である。
【００２７】
図１において、本物品管理システムは、物品用タグ１ａおよび１ｂと、入庫タグ２ａと、出庫タグ２ｂと、棚タグ２ｃおよび２ｄと、倉庫タグ２ｅと、検品タグ２ｆと、ハンディ端末３と、サーバ４とを含む。
【００２８】
なお、物品用タグ１は、２枚に限らず、その枚数は適宜変更可能であり、また、棚タグは、２枚に限らず、その枚数は適宜変更可能であり、ハンディ端末３は、１台に限らず複数台でもよい。
【００２９】
物品用タグ１ａおよび１ｂと、入庫タグ２ａと、出庫タグ２ｂと、棚タグ２ｃおよび２ｄと、倉庫タグ２ｅと、検品タグ２ｆとは、２．４５ＧＨｚ帯の電波にて通信可能な非接触ＩＣタグであり、各々には、互いに異なる識別情報が記録されている。
【００３０】
なお、入庫タグ２ａと、出庫タグ２ｂと、棚タグ２ｃおよび２ｄと、倉庫タグ２ｅと、検品タグ２ｆのそれぞれは、処理用タグの一例である。
【００３１】
物品用タグ１ａは、管理対象である物品１０ａに添付される。物品用タグ１ａに記録されている識別情報は、物品１０ａを識別するための識別ＩＤとして用いられる。
【００３２】
物品用タグ１ｂは、管理対象である物品１０ｂに添付される。物品用タグ１ｂに記録されている識別情報は、物品１０ｂを識別するための識別ＩＤとして用いられる。
【００３３】
入庫タグ２ａは、物品１０を管理するための倉庫１１に設置される。入庫タグ２ａに記録されている識別情報は、物品１０の倉庫１１への入庫を表すために実行される入庫処理を指定する処理ＩＤとして用いられる。
【００３４】
出庫タグ２ｂは、物品１０を管理するための倉庫１１に設置される。出庫タグ２ｂに記録されている識別情報は、物品１０の倉庫１１からの出庫を表すために実行される出庫処理を指定する処理ＩＤとして用いられる。
【００３５】
棚タグ２ｃは、物品１０を管理するための棚１２ａに設置される。棚タグ２ｃに記録されている識別情報は、物品１０が棚１２ａにあることを表すために実行される棚保管処理を指定する処理ＩＤとして用いられる。
【００３６】
棚タグ２ｄは、物品１０を管理するための棚１２ｂに設置される。棚タグ２ｄに記録されている識別情報は、物品１０が棚１２ｂにあることを表すために実行される棚保管処理を指定する処理ＩＤとして用いられる。
【００３７】
倉庫タグ２ｅは、物品１０を管理するための倉庫１１に設置される。倉庫タグ２ｅに記録されている識別情報は、物品１０が他の倉庫に移動中であることを表すために実行される倉庫間移動処理を指定する処理ＩＤとして用いられる。
【００３８】
検品タグ２ｆは、物品１０を管理するための倉庫１１に設置される。検品タグ２ｆに記録されている識別情報は、物品１０に対する検品が済んだことを表すために実行される検品処理を指定する処理ＩＤとして用いられる。
【００３９】
ハンディ端末３は、読取部の一例であり、リーダー３ａと、入力部３ｂと、表示部３ｃと、通信部３ｄと、ＣＰＵ３ｅとを含む。
【００４０】
リーダー３ａは、２．４５ＧＨｚ帯の電波を使って、物品用タグ１ａおよび１ｂと、入庫タグ２ａと、出庫タグ２ｂと、棚タグ２ｃおよび２ｄと、倉庫タグ２ｅと、検品タグ２ｆと通信し、個別に識別情報を読み取る。
【００４１】
リーダー３ａは、自己の通信可能エリア（例えば、リーダー３ａから約２０ｃｍ以内のエリア）に存在するタグ１またはタグ２から識別情報を読み取る。リーダー３ａは、タグ１またはタグ２から識別情報を読み取ると、その識別情報をＣＰＵ３ｅに出力する。
【００４２】
入力部３ｂは、クリアボタン等の操作ボタンである。表示部３ｃは、例えば、リーダー３ａがタグ１またはタグ２から読み取った識別情報を表示する。通信部３ｄは、サーバ４と無線通信する。
【００４３】
ＣＰＵ３ｅは、ハンディ端末３全体を制御する。例えば、ＣＰＵ３ｅは、入力部３ｂのクリアボタンが押下されると、表示部３ｃの表示をクリアする。また、ＣＰＵ３ｅは、リーダー３ａから識別情報を受け付けると、その識別情報を通信部３ｄからサーバ４に無線送信する。
【００４４】
サーバ４は、通信部４ａと、格納部４ｂと、表示部４ｃと、処理内容記憶部４ｄと、プログラムメモリ４ｅと、制御部４ｆとを含む。
【００４５】
通信部４ａは、ハンディ端末３の通信部３ｄと通信する。
【００４６】
格納部４ｂは、例えば、ハンディ端末３から送信された識別情報を、その識別情報に対する処理結果とともに格納する。
【００４７】
表示部４ｃは、種々の情報を表示する。
【００４８】
処理内容記憶部４ｄは、タグ２の識別情報である処理ＩＤを、その処理ＩＤにて指定された物品管理用の処理の内容と関連づけて記憶している。
【００４９】
図２は、処理内容記憶部４ｄに記憶されている情報の一例を示した説明図である。
【００５０】
図２において、各タグ種別４ｄ１は、処理名４ｄ２および処理内容４ｄ３と関連づけられている。タグ種別４ｄ１には、処理ＩＤが示され、処理名４ｄ２には、関連づけられた処理ＩＤが指定する処理の名称が示され、処理内容４ｄ３には、関連づけられた処理名を有する処理の内容が示される。
【００５１】
図１に戻って、プログラムメモリ４ｅは、コンピュータにて読み取り可能な記録媒体の一例である。プログラムメモリ４ｅには、サーバ４の動作を規定するプログラムが記録されている。
【００５２】
制御部４ｆは、メモリを含むコンピュータであって、プログラムメモリ４ｅに記録されているプログラムを読み取り、そのプログラムを実行することによって、種々の機能を実現する。例えば、制御部４ｆは、そのプログラムを実行することによって、時計部４ｆ１と、メモリ４ｆ２と、計測部４ｆ３と、処理部４ｆ４とを実現する。
【００５３】
制御部４ｆは、時計部４ｆ１と、メモリ４ｆ２と、計測部４ｆ３と、処理４ｆ４とが動作することにより、ハンディ端末３から通信部４ａを介して識別ＩＤを受け付け、その後、ハンディ端末３から通信部４ａを介して処理ＩＤを受け付けると、その識別ＩＤに対して、その処理ＩＤにて指定された物品管理用の処理を実行する。
【００５４】
具体的には、制御部４ｆは、ハンディ端末３から識別ＩＤを受け付け、その後、ハンディ端末３から処理ＩＤを受け付けると、その処理ＩＤに関連づけられている処理内容を処理内容記憶部４ｄから読み出し、その受け付けた識別ＩＤに対して、その読み出した処理内容を実行する。
【００５５】
時計部４ｆ１は、時刻を出力する。メモリ４ｆ２は、処理部４ｆ４にて使用される。
【００５６】
計測部４ｆ３は、処理部４ｆ４が識別ＩＤを受け付けてから処理部４ｆ４が処理ＩＤを受け付けるまでの情報受付時間を計測する。また、計測部４ｆ３は、処理部４ｆ４が識別ＩＤを受け付けてから処理部４ｆ４が他の識別ＩＤを受け付けるまでの識別ＩＤ受付時間を計測する。
【００５７】
処理部４ｆ４は、ハンディ端末３から通信部４ａを介して識別ＩＤを受け付け、その後、ハンディ端末３から通信部４ａを介して処理ＩＤを受け付けた場合、時間計測部４ｄ３にて計測された情報受付時間が所定時間（例えば、３０秒）以内であるときのみ、識別ＩＤに対して、処理ＩＤにて指定された物品管理用の処理を実行する。
【００５８】
また、処理部４ｆ４は、ハンディ端末３から識別ＩＤを受け付け、その後、ハンディ端末３から他の識別ＩＤを受け付け、その後、ハンディ端末３から処理ＩＤを受け付けた場合、識別ＩＤ受付時間が特定時間（例えば、３０秒）以内であり、かつ、情報受付時間が所定時間以内であるときのみ、識別ＩＤと他の識別ＩＤに対して、処理ＩＤにて指定された物品管理用の処理を実行する。
【００５９】
次に、動作を説明する。
【００６０】
図３は、サーバ４の動作を説明するためのフローチャートである。以下、図３を参照して、動作を説明する。
【００６１】
なお、サーバ４の処理部４ｆ４には、あらかじめ、処理用タグ（入庫タグ２ａと、出庫タグ２ｂと、棚タグ２ｃおよび２ｄと、倉庫タグ２ｅと、検品タグ２ｆ）に記録されている識別情報が、処理ＩＤとして、記録されているものとする。また、処理部４ｆ４には、あらかじめ、所定時間と特定時間とが記録されているものとする。
【００６２】
ステップＳ１０１では、処理部４ｆ４は、ハンディ端末３から通信部４ａを介して識別情報を受け付けたか否かを判断する。処理部４ｆ４は、識別情報を受け付けるまで、ステップＳ１０１を継続する。
【００６３】
ユーザが、ハンディ端末３のリーダー３ａで、タグ１またはタグ２から識別情報を読み取ると、リーダー３ａは、その識別情報をＣＰＵ３ｅに出力する。ＣＰＵ３ｅは、リーダー３ａから識別情報を受け付けると、その識別情報を、通信部３ｄを介してサーバ４の通信部４ａに送信する。
【００６４】
通信部４ａは、ハンディ端末３から識別情報を受信すると、その識別情報を処理部４ｆ４に出力する。処理部４ｆ４は、通信部４ａから識別情報を受け付けると、ステップＳ１０２を実行する。
【００６５】
ステップＳ１０２では、処理部４ｆ４は、その識別情報が、処理部４ｆ４に処理ＩＤとして記録されていないと、その識別情報は識別ＩＤであると判断してステップＳ１０３を実行し、一方、その識別情報が、処理部４ｆ４に処理ＩＤとして記録されていると、その識別情報は処理ＩＤであると判断してステップＳ１０４を実行する。
【００６６】
ステップＳ１０３では、処理部４ｆ４は、時計部４ｆ１から時刻を取得し、その識別ＩＤと、その時刻（受付時刻）とを関連づけてメモリ４ｆ２に格納する。その後、処理部４ｆ４は、ステップＳ１０５を実行する。
【００６７】
ステップＳ１０５では、処理部４ｆ４は、その識別ＩＤを表示部４ｃに表示する。
【００６８】
なお、例えば、格納部４ｂに、識別ＩＤが物品名と対応づけられて格納されていれば、処理部４ｆ４は、その識別ＩＤに対応する物品名を格納部４ｂから読み取り、その物品名を表示部４ｃに表示してもよい。この場合、処理部４ｆ４は、通信部４ａを介して、その物品名をハンディ端末３に送信し、ハンディ端末３の表示部３ｃに、その物品名を表示させてもよい。
【００６９】
その後、処理部４ｆ４は、ステップＳ１０６を実行する。
【００７０】
ステップＳ１０６では、処理部４ｆ４は、メモリ４ｆ２に複数の識別ＩＤが格納されているか否かを確認し、複数の識別ＩＤが格納されているとステップＳ１０７を実行し、複数の識別ＩＤが格納されていないと、ステップＳ１０１を実行する。
【００７１】
ステップＳ１０７では、処理部４ｆ４は、メモリ４ｆ２に格納されている時刻の中から、最新の時刻と、それに最も近い時刻とを読み出し、その２つの時刻を計測部４ｆ３に出力する。計測部４ｆ３は、その２つの時刻の差（識別ＩＤ受付時間）を算出し、その算出結果（識別ＩＤ受付時間）を処理部４ｆ４に出力する。処理部４ｆ４は、その算出結果が特定時間以内であると、ステップＳ１０１を実行し、その算出結果が特定時間を越えていると、ステップＳ１０８を実行する。
【００７２】
ステップＳ１０８では、処理部４ｆ４は、メモリ４ｆ２内の情報を、最新の時刻と、その最新の時刻に関連づけられている識別ＩＤのみにする。その後、処理部４ｆ４は、ステップＳ１０１を実行する。
【００７３】
一方、ハンディ端末３から受け付けられた識別情報が処理ＩＤである場合に実行されるステップＳ１０４では、処理部４ｆ４は、メモリ４ｆ２内に識別ＩＤがないとステップＳ１０９を実行し、メモリ４ｆ２内に識別ＩＤがあるとステップＳ１１０を実行する。
【００７４】
ステップＳ１０９では、処理部４ｆ４は、その処理ＩＤを表示部４ｃに表示する。なお、処理部４ｆ４は、その処理ＩＤに関連づけられている処理内容を処理内容記憶部４ｄから読み取り、その処理内容を表示部４ｃに表示してもよい。この場合、処理部４ｆ４は、通信部４ａを介して、その処理内容をハンディ端末３に送信し、ハンディ端末３の表示部３ｃに、その処理内容を表示させてもよい。その後、処理部４ｆ４は、ステップＳ１１１を実行する。
【００７５】
一方、ステップＳ１１０では、処理部４ｆ４は、時計部４ｆ１から時刻を取得し、さらに、メモリ４ｆ２に格納されている時刻の中から最新の時刻を読み出し、その２つの時刻を計測部４ｆ３に出力する。計測部４ｆ３は、その２つの時刻の差（情報受付時間）を算出し、その算出結果（情報受付時間）を処理部４ｆ４に出力する。処理部４ｆ４は、その算出結果が所定時間以内であると、ステップＳ１１２を実行し、その算出結果が所定時間を越えていると、ステップＳ１０９を実行する。
【００７６】
ステップＳ１１２では、処理部４ｆ４は、その処理ＩＤに関連づけられている処理内容を処理内容記憶部４ｄから読み出し、メモリ４ｆ２に格納されている識別ＩＤに対して、その処理内容を実行する。
【００７７】
例えば、処理部４ｆ４は、処理ＩＤに応じて、識別ＩＤに、倉庫１１への入庫を示す入庫情報を関連づける入庫処理を実行したり、識別ＩＤに、倉庫１１からの出庫を示す出庫情報を関連づける出庫処理を実行したり、識別ＩＤに、棚１２ａへの保管を示す棚１２ａ保管情報を関連づける棚保管処理を実行したり、識別ＩＤに、検品済みを示す検品済み情報を関連づける検品処理を実行したりする。
【００７８】
その後、処理部４ｆ４は、ステップＳ１１３およびＳ１１４を実行する。
【００７９】
ステップＳ１１３では、処理部４ｆ４は、識別ＩＤに対して行った処理結果を格納部４ｂに格納し、ステップＳ１１４では、処理部４ｆ４は、その処理結果を表示部４ｃに表示する。なお、処理部４ｆ４は、通信部４ａを介して、その処理結果をハンディ端末３に送信し、ハンディ端末３の表示部３ｃに、その処理結果を表示させてもよい。その後、処理部４ｆ４は、ステップＳ１１１を実行する。
【００８０】
ステップＳ１１１では、処理部４ｆ４は、メモリ４ｆ２に格納されている情報をクリアする。その後、ステップＳ１０１が実行される。
【００８１】
なお、ハンディ端末３の入力部３ｂのクリアボタンが押下された場合、ハンディ端末３のＣＰＵ３ｅは、クリア指令を通信部３ｄからサーバ４へ送信する。サーバ４の処理部４ｆ４は、ハンディ端末３から通信部４ａを介してクリア指令を受信すると、メモリ４ｆ２格納されている情報、および、表示部４ｃおよび３ｃの表示内容をクリアする。
【００８２】
次に、ハンディ端末３のオペレータの動作と、その動作に応じた処理の例を説明する。なお、以下では、物品として製品が用いられる。
【００８３】
図４は、入庫処理の一例を説明するための説明図である。
【００８４】
オペレータが、ハンディ端末３のクリアボタンを押下すると、処理部４ｆ４は、メモリ４ｆ２内の情報と、表示部４ｃおよび表示部３ｃの表示内容をクリアする。
【００８５】
その後、オペレータが、リーダー３ａで、製品１０ａの物品用タグ１ａから識別ＩＤを読み取り、その後、特定時間以内に、リーダー３ａで、製品１０ｂの物品用タグ１ｂから識別ＩＤを読み取り、その後、所定時間以内に、リーダー３ａで、入庫タグ２ａ（倉庫Ｘ）から処理ＩＤを読み取ると、処理部４ｆ４は、製品１０ａ（識別ＩＤ）と製品１０ｂ（識別ＩＤ）に対して倉庫Ｘへの入庫処理を実行し、その後、メモリ４ｆ２内の情報、および、表示部４ｃと表示部３ｃの表示内容をクリアする。
【００８６】
図５は、出庫処理の一例を説明するための説明図である。
【００８７】
オペレータが、ハンディ端末３のクリアボタンを押下すると、処理部４ｆ４は、メモリ４ｆ２内の情報と、表示部４ｃおよび表示部３ｃの表示内容をクリアする。
【００８８】
その後、オペレータが、リーダー３ａで、製品１０ａの物品用タグ１ａから識別ＩＤを読み取り、その後、特定時間以内に、リーダー３ａで、製品１０ｂの物品用タグ１ｂから識別ＩＤを読み取り、その後、所定時間以内に、リーダー３ａで、出庫タグ２ａ（発送先Ｍ）から処理ＩＤを読み取ると、処理部４ｆ４は、製品１０ａ（識別ＩＤ）と製品１０ｂ（識別ＩＤ）に対して、発送先Ｍへの出庫処理を行い、その後、メモリ４ｆ２内の情報、および、表示部４ｃと表示部３ｃの表示内容をクリアする。
【００８９】
図６は、倉庫移動処理の一例を説明するための説明図である。
【００９０】
オペレータが、ハンディ端末３のクリアボタンを押下すると、処理部４ｆ４は、メモリ４ｆ２内の情報と、表示部４ｃおよび表示部３ｃの表示内容をクリアする。
【００９１】
その後、オペレータが、リーダー３ａで、倉庫Ｘに保管されている製品１０ａの物品用タグ１ａから識別ＩＤを読み取り、その後、所定時間内に、倉庫タグ２ｅ（倉庫Ｙ）から処理ＩＤを読み取ると、処理部４ｆ４は、製品１０ａ（識別ＩＤ）に対して、倉庫Ｘから倉庫Ｙへの移動を示す情報を関連づける移動開始処理を行い、その後、メモリ４ｆ２内の情報、および、表示部４ｃと表示部３ｃの表示内容をクリアする。
【００９２】
その後、オペレータは、製品１０ａを倉庫Ｙに移動する。その後、オペレータが、ハンディ端末３のクリアボタンを押下すると、処理部４ｆ４は、メモリ４ｆ２内の情報と、表示部４ｃおよび表示部３ｃの表示内容をクリアする。
【００９３】
その後、オペレータが、リーダー３ａで、製品１０ａの物品用タグ１ａから識別ＩＤを読み取り、所定時間以内に、リーダー３ａで、入庫タグ２ａ（倉庫Ｙ）から処理ＩＤを読み取ると、処理部４ｆ４は、製品１０ａ（識別ＩＤ）に対して、倉庫Ｙへの入庫処理を行い、その後、メモリ４ｆ２内の情報、および、表示部４ｃと表示部３ｃの表示内容をクリアする。
【００９４】
図７は、棚保管処理の一例を説明するための説明図である。
【００９５】
オペレータが、ハンディ端末３のクリアボタンを押下すると、処理部４ｆ４は、メモリ４ｆ２内の情報と、表示部４ｃおよび表示部３ｃの表示内容をクリアする。
【００９６】
その後、オペレータが、リーダー３ａで、製品１０ａの物品用タグ１ａから識別ＩＤを読み取り、その後、特定時間以内に、リーダー３ａで、製品１０ｂの物品用タグ１ｂから識別ＩＤを読み取り、その後、所定時間以内に、リーダー３ａで、棚タグ２ｃ（棚番Ｔ）から処理ＩＤを読み取ると、処理部４ｆ４は、製品１０ａ（識別ＩＤ）と製品１０ｂ（識別）に対して、棚番Ｔと関連づける棚保管処理を行い、その後、メモリ４ｆ２内の情報、および、表示部４ｃと表示部３ｃの表示内容をクリアする。
【００９７】
図８は、識別情報を読み込んだ順番、タイミングおよび識別情報の種類に応じて、処理が振り分けられる例を、オペレータの動作と関連づけて説明するための説明図である。
【００９８】
図８（ａ）は、オペレータが、リーダー３で、棚タグ２ｃ（棚番Ｔ）から処理ＩＤを読み取っただけの場合の処理を示し、この場合、棚の情報を表示する処理のみが実行される。
【００９９】
図８（ｂ）は、オペレータが、リーダー３ａで、製品１０ａの物品用タグ１ａから識別ＩＤを読み取り、その後、所定時間以内に、リーダー３ａで、棚タグ２ｃ（棚番Ｔ）から処理ＩＤを読み取った場合の処理を示し、識別ＩＤが読み取られたとき、製品１０ａに関する情報のみが表示され、処理ＩＤが読み取られると、製品１０ａを棚番Ｔと関連づける棚保管処理が行われる。
【０１００】
図８（ｃ）は、オペレータが、リーダー３ａで、製品１０ａの物品用タグ１ａから識別ＩＤを読み取り、その後、所定時間経過後に、リーダー３ａで、棚タグ２ｃ（棚番Ｔ）から処理ＩＤを読み取った場合の処理を示し、識別ＩＤが読み取られたとき、製品１０ａに関する情報のみが表示され、処理ＩＤが読み取られると、棚番Ｔに関する情報のみが表示される。
【０１０１】
図８（ｄ）は、オペレータが、リーダー３ａで、棚タグ２ｃ（棚番Ｔ）から処理ＩＤを読み取り、その後、製品１０ａの物品用タグ１ａから識別ＩＤを読み取った場合の処理を示し、処理ＩＤが読み取られたとき、棚番Ｔに関する情報のみが表示され、識別ＩＤが読み取られると、製品１０ａに関する情報のみが表示される。
【０１０２】
図８（ｅ）は、図７に示した例と同様となる。
【０１０３】
図８（ｆ）は、オペレータが、リーダー３ａで、製品１０ａの物品用タグ１ａから識別ＩＤを読み取り、その後、特定時間経過後に、リーダー３ａで、製品１０ｂの物品用タグ１ｂから識別ＩＤを読み取り、その後、所定時間以内に、リーダー３ａで、棚タグ２ｃ（棚番Ｔ）から処理ＩＤを読み取った場合の処理を示し、識別ＩＤが読み取られたとき、その識別ＩＤに対応する製品に関する情報が表示され、処理ＩＤが読み取られると、製品１０ｂを棚番Ｔと関連づける棚保管処理が行われる。
【０１０４】
図８（ｇ）は、オペレータが、リーダー３ａで、製品１０ａの物品用タグ１ａから識別ＩＤを読み取り、その後、所定時間以内に、リーダー３ａで、棚タグ２ｃ（棚番Ｔ）から処理ＩＤを読み取り、その後、一定時間内に、リーダー３ａで、製品１０ｂの物品用タグ１ｂから識別ＩＤを読み取り、その後、所定時間以内に、リーダー３ａで、棚タグ２ｃ（棚番Ｕ）から処理ＩＤを読み取った場合の処理を示す。
【０１０５】
この場合、識別ＩＤが読み取られたとき、その識別ＩＤに対応する製品に関する情報が表示され、棚番Ｔの棚タグ２ｃから処理ＩＤが読み込まれると、製品１０ａを棚番Ｔと関連づける棚保管処理が行われ、棚番Ｕの棚タグ２ｃから処理ＩＤが読み込まれると、製品１０ｂを棚番Ｕと関連づける棚保管処理が行われる。
【０１０６】
本実施形態によれば、ユーザが、ハンディ端末３で、識別ＩＤと処理ＩＤを順番に読み取るだけで、識別ＩＤに対して、処理ＩＤにて指定された物品管理用の処理が行われる。
【０１０７】
よって、ユーザは、従来のように読取り機と操作端末の操作キーという異なる２つの操作部を操作することによって識別ＩＤの読取りと処理指示の入力とを行う必要がなくなり、物品管理システムの操作性の向上が図れる。
【０１０８】
また、本実施形態では、処理内容記憶部４ｄが、処理ＩＤを、その処理ＩＤにて指定された物品管理用の処理の内容と関連づけて記憶している。このため、処理内容記憶部４ｄで物品管理用の処理内容を管理することが可能になる。
【０１０９】
また、本実施形態では、処理部４ｆ４は、情報受付時間が所定時間以内である場合のみ、識別ＩＤに対して、処理ＩＤにて指定された物品管理用の処理を実行する。
【０１１０】
識別ＩＤを受け付けてから処理ＩＤを受け付けるまでの時間が長くなるほど、それら識別ＩＤおよび処理ＩＤが誤って読み取られた可能性が高くなる傾向がある。よって、本実施形態によれば、読取りミスの可能性がある情報に基づいて処理を行うことを防止でき、物品管理の精度の悪化を抑えることが可能になる。
【０１１１】
また、本実施形態では、処理部４ｆ４は、識別ＩＤを受け付け、その後、他の識別ＩＤを受け付け、その後、処理ＩＤを受け付けた場合、識別ＩＤ受付時間が特定時間以内であり、かつ、情報受付時間が前記所定時間以内であるときのみ、識別ＩＤと他の識別ＩＤとに対して、処理ＩＤにて指定された物品管理用の処理を実行する。
【０１１２】
この場合、ユーザが、ハンディ端末３で、識別ＩＤと、他の識別ＩＤと、処理ＩＤとを、順番に、ある時間内に読み取るという簡単な操作を行うだけで、複数の識別ＩＤに対して、共通の処理が実行される。このため、物品管理システムの操作性の向上が図れる。
【０１１３】
以上説明した実施形態において、図示した構成は単なる一例であって、本発明はその構成に限定されるものではない。
【０１１４】
例えば、タグは、非接触ＩＣタグに限らず適宜変更可能であり、例えば、バーコード（識別情報）が記された紙を用いてもよい。
【０１１５】
また、ハンディ端末３とサーバ４とは有線で通信してもよい。また、ハンディ端末３がサーバ４の機能を有していてもよい。
【図面の簡単な説明】
【０１１６】
【図１】本発明の一実施形態の物品管理システムを示したブロック図である。
【図２】処理内容記憶部４ｄに記憶されている情報の一例を示した説明図である。
【図３】サーバ４の動作を説明するためのフローチャートである。
【図４】入庫処理の一例を説明するための説明図である。
【図５】出庫処理の一例を説明するための説明図である。
【図６】倉庫移動処理の一例を説明するための説明図である。
【図７】棚保管処理の一例を説明するための説明図である。
【図８】物品管理システムの動作を説明するための説明図である。
【符号の説明】
【０１１７】
１ａ、１ｂ  物品用タグ
２ａ〜２ｆ  処理用タグ
３          ハンディ端末
３ａ        リーダー
３ｂ        入力部
３ｃ        表示部
３ｄ        通信部
３ｅ        ＣＰＵ
４          サーバ
４ａ        通信部
４ｂ        格納部
４ｃ        表示部
４ｄ        処理内容記憶部
４ｅ        プログラムメモリ
４ｆ        制御部
４ｆ１      時計部
４ｆ２      メモリ
４ｆ３      計測部
４ｆ４      処理部
【図１】
2007223797.tif 000003
【図２】
2007223797.tif 000004
【図３】
2007223797.tif 000005
【図４】
2007223797.tif 000006
【図５】
2007223797.tif 000007
【図６】
2007223797.tif 000008
【図７】
2007223797.tif 000009
【図８】
2007223797.tif 000010